(57)【要約】【課題】扉や機械式錠前に対して、極力、孔、切欠等の加工を施さないで、かつ、簡単に電気錠の制御箱を後付することができること。【解決手段】機械式錠前１を扉１１の内壁面１２に取付け、該錠前の錠箱２から突出するサムターン摘み５に、制御箱９に設けた動力伝達機構の伝動歯車２２と噛合する歯部２３を有するサムターン摘み用キャップ８を外嵌合し、該キャップ用の開口部３０及び取付け孔を有する制御箱９の一端部側９ａを、前記錠箱の外壁面２ａに位置決めした状態で添設しかつ固着具１０を介して該制御箱９を錠箱２に後付固定したことを特徴とする機械式錠前に対する電気錠の制御箱の取付構造。【選択図】  図１
2005023688.tif 000002
【特許請求の範囲】
【請求項１】
機械式錠前１を扉１１の内壁面１２に取付け、該錠前の錠箱２から突出するサムターン摘み５に、制御箱９に設けた動力伝達機構の伝動歯車２２と噛合する歯部２３を有するサムターン摘み用キャップ８を外嵌合し、該キャップ用の開口部３０及び取付け孔を有する制御箱９の一端部側９ａを、前記錠箱の外壁面２ａに位置決めした状態で添設しかつ固着具１０を介して該制御箱９を錠箱２に後付固定したことを特徴とする機械式錠前に対する電気錠の制御箱の取付構造。
【請求項２】
請求項１に於いて、扉の外壁面１３には、前面に入力手段用の収納部１５を有する取付け入力板１４が固定されていることを特徴とする電気錠の制御箱の取付構造。
【請求項３】
請求項１に於いて、取付け入力板１４は、外側ハンドル用取付け座板を介して固定されていることを特徴とする電気錠の制御箱の取付構造。
【請求項４】
請求項１に於いて、制御箱の裏側には、扉の外壁面に固定された取付け入力板側のコネクタ３７と、これに電気的に接続する制御箱側のコネクタ３５とを収納する凹所３８が形成されていることを特徴とする電気錠の制御箱の取付構造。
【請求項５】
請求項１に於いて、制御箱には、錠箱に形成されたネジ孔と符合し、かつ、扉の左右勝手に対応する複数個の取付け孔３１．３２が形成されていることを特徴とする電気錠の制御箱の取付構造。
【請求項６】
請求項１に於いて、制御箱には、電源部５９と、該電源部から給電されて駆動する駆動モータ６４と、この駆動モータの駆動力を伝達すると共に、キャップ８の歯部２３と噛合する伝動歯車２２を有する動力伝達機構６５とが設けられていることを特徴とする電気錠の制御箱の取付構造。
【発明の詳細な説明】
【０００１】
【発明の属する技術分野】
本発明は、手動式で施・解錠する機械式錠前に、電気錠の制御箱を後付する機械式錠前に対する電気錠の制御箱の取付構造に関する。
【０００２】
【従来の技術】
先行技術開示義務として、（１）特開平１０−１８４１２６号公報、（２）特許第３３３３１６８号、（３）特開２００３−７４２２６を記載する。前記（１）の公開公報の図７には、扉に矩形状の切欠部を形成し、電源部及び制御部を内装する制御箱を取付ける考え方が開示されている。前記（２）特許公報には、扉の室外側の錠箱から離間した上方部位に円形切欠部を形成し、該切欠部にＩＣカードの情報を読み取る円盤型のカードリーダを取付ける考え方が開示されている。なお、円盤型のカードリーダは、裏側にメネジ杆を有し、扉の内壁面から差し込まれかつ前記メネジ杆に螺合する固着具により扉に固定されている。前記（３）の公開公報には、扉の内部にタグ式の情報記憶媒体の情報を読み取る回路部、判別回路部、制御回路部、電源部など制御部を内臓する考え方が開示されている。
【０００３】
ところで、現在、シリンダ錠や操作部材を備え、手動式で施・解錠する錠前に、電気錠の入力部材及び制御部を有する制御箱を後付し、施・解錠操作が容易な電気錠の機能を付加する技術が要望されている。
しかしながら、前記（１）乃至（３）の公報記載のように、扉に追加加工を施し、入力部材又は／及び制御箱を後付することは、特に集合住宅の転居・入居などの事情を考慮すると、「扉に対する現状回復義務」との関係で問題がある。
【０００４】
【発明が解決しようとする課題】
本発明の主たる目的は、特に集合住宅の転居・入居時に扉に対する現状回復義務との関係を考慮し、扉や機械式錠前に対して、極力、孔、切欠等の加工を施さないで電気錠の制御箱を後付すること。本発明の第２の目的は、電気錠の制御箱を錠箱に簡単に固定並びに取り外し可能であること。本発明の第３の目的は、扉の外壁面側に固定された電気錠の入力部材のコネクタと、扉の内壁面に錠箱を介して固定された電気錠の制御箱のコネクタを、錠箱を加工するとこなく、後付制御箱に合理的に収納できること。本発明の第４の目的は、制御箱を扉の左右勝手に対応して錠箱に後付固定することができることである。加えて、機械式錠前に電気錠の他の機能（入力部材）を扉に加工を施さないようにして加味し、該錠前を電動錠としても使用することができることである。
【０００５】
【課題を解決するための手段】
本発明の機械式錠前に対する電気錠の制御箱の取付構造は、機械式錠前１を扉１１の内壁面１２に取付け、該錠前の錠箱２から突出するサムターン摘み５に、制御箱９に設けた動力伝達機構の伝動歯車２２と噛合する歯部２３を有するサムターン摘み用キャップ８を外嵌合し、該キャップ用の開口部３０及び取付け孔を有する制御箱９の一端部側９ａを、前記錠箱の外壁面２ａに位置決めした状態で添設しかつ固着具１０を介して該制御箱９を錠箱２に後付固定したことを特徴とする。
【０００６】
上記構成に於いて、扉の外壁面には、前面に入力手段用の収納部を有する取付けベース板が固定されていることを特徴とする。また、制御箱の内壁面には、扉の外壁面に固定された入力部材側のコネクタと、これに電気的に接続した制御箱側のコネクタとを収納する凹所が形成されていることを特徴とする。さらに、制御箱には、錠箱に形成されたネジ孔と符合し、かつ、扉の左右勝手に対応する複数個の取付け孔が形成されていることを特徴とする。
【０００７】
ここでは「機械式錠前」とは、公知、新規とを問わず、シリンダ錠や操作部材を備え、手動式で施・解錠する錠前のことを言う。
【０００８】
【発明の実施の形態】
まず、図１は本発明の実施例の環境を示す概略説明図である。１は機械式錠前、２は機械式錠前の錠箱、３はデッドボルト、４はラッチボルト、５は錠箱２の幅広外壁面２ａから突出するサムターン摘み、６は角孔を有するハンドルカム軸、７は前記ハンドルカム軸に軸部が嵌入する内側ハンドル、８はサムターン摘み５に外嵌合するサムターン摘み用キャップ、９は錠箱２の上壁面に一端部側９ａが位置決めした状態で添設され、かつ、複数個の固着具１０を介して固定される制御箱である。
【０００９】
以上が扉１１の内壁面１２側に設けられる主な構成部材である。錠前１には、もちろんサムターンの軸が連係するサムターンダルマ（デッドカム）、施・解錠機構を構成する部材が内装されている（省略）。
【００１０】
一方、扉１１の外壁面１３には、次の部材が設けられている。すなわち、１４は扉１１の外壁面１３に固定され、かつ、前面に入力手段用の収納部１５を有する取付けベース板、１６は錠前１のハンドルカム軸に軸部が嵌入する外側ハンドル、１７はサムターンとは反対側のダルマに連係装着されるシリンダ錠である。なお、錠前１及び後述する後付電気錠Ｘの電気回路との関係で、合鍵５０、携帯型情報記憶媒体５１が存在する。
【００１１】
次に本発明の主要部について説明する。図２は錠箱２のサムターン摘み５にサムターン摘み用キャップ８を被せた状態の正面図である。図２を基準にすると、内側ハンドル７がハンドルカム軸６に装着されている。この内側ハンドル７とキャップ８との間の適宜部位、例えば左側壁２ｂ寄りの幅広外壁面２ａには、固着具用の第１のメネジ孔１９が形成されている。また、キャップ８とフロントに相当する側壁１８寄りの幅広外壁面２ａには、固着具用の第２のメネジ孔２０が形成されている。
【００１２】
図３はサムターン摘み用キャップ８と伝動歯車２２の斜視図である。キャップ８は、嵌める方のキャップ部２１の外周部に制御箱９に設けた伝動歯車２２と噛合する歯部２３を有する。
しかして、２４はキャップ部２１の内部に形成されたサムターン摘み５用の嵌合凹所で、この嵌合凹所２４はサムターン摘み５の突起形状に対応して開口がトラック形状に形成されている。また２５はキャップ部２１の外壁面の中央部に突出形成されたキャップ摘みである。
【００１３】
図４は制御箱９の内部に設けられた電源部５９、駆動源６４、動力伝達機構６５等の概略を示す。サムターン摘み用キャップ８は、電源部５９から給電されて駆動する駆動モータ６４の駆動力により左右に所定量回転する。
【００１４】
動力伝達機構６５は、本発明の特定要件でないので、簡単に説明する。２７は駆動モータ６４の出力軸と共に回転するベベルギヤ、２８は初期の歯車がベベルギヤと噛合する減速歯車列、２２は図示しないクラッチ歯車を介して回転し、かつ、キャップ８の歯部２３と噛合する前述の伝動歯車である。
【００１５】
図５は制御箱９の正面図である。一端部（下端部）側の中央部には、サムターン摘み用キャップ８のキャップ部２１が遊嵌合する開口部の一例としてのキャップ嵌合孔３０が形成されている。３１はキャップ嵌合孔３０を基準にすると、制御箱９の一端部側９ａのキャップ嵌合孔３０よりも下方の下端中央部寄りの部位に形成された左右一対の第１取付け孔で、これらの第１取付け孔３１の一つ（例えば左側の孔）は、前述した錠箱２の第１メネジ孔１９に符合する。
【００１６】
また、３２は一端部側９ａの下端部にそれぞれ形成された左右一対の第２取付け孔で、これらの第２取付け孔３２の一つ（例えば右側の孔）は、前述した錠箱２の第２メネジ孔２０に符合する。これらの第１及び第２の取付け孔３１．３２は、扉の左右勝手に対応して形成されているので、錠箱２に形成されたネジ孔３１．３２の位置如何によって選択的に利用される。
【００１７】
図６は制御箱９の裏側（背面）を示す説明図である。図６から明らかなように、制御箱９の一端部側９ａに連設する他端部（上端部）側９ｂは、ボックス状に裏側に突出している。ボックス状の他端部側９ｂの内部には、電源（電池）部５９や制御部５７が内装される。
【００１８】
伝動歯車２２の一部は、制御箱の中央切欠部３３から露呈している。また、制御箱９の背面からは制御箱側のリード線３４及びコネクタ３５が引き出されている。さらに、制御箱９の背面中央部には、入力部材（取付けに入力板）１４側のリード線３６の端部に設けられたコネクタ３７と、これに電気的に接続する制御箱側の前記コネクタ３５とを収納する凹所３８が形成されている。
なお、符号３９は電源部の引き出し型キャップ、４０は錠箱２の一端部側の一側壁に取り外し可能に添設された飾り側板である。
【００１９】
図７は制御箱９を錠箱２に固定した正面図である。制御箱９を錠箱２に固定する場合には、キャップ用の開口部３０及び取付け孔３１．３２を有する一端部側９ａを、錠箱２の上壁面２ａに位置決めした状態で添設し、その後、２本の固着具１０．１０を介して固定する。固着具１０は、本実施例では、図７で示すように左下の第１取付け孔３１と右上の第２取付け孔３２にそれぞれ差し込み螺合している。４１は固着具１０を覆う弧状のカバーである。カバー４１は取り外し自在に錠箱２に係脱する。
【００２０】
図８は扉１１の外壁面１３に、前面に入力手段用の収納部１５を有する取付け入力板１４を外側ハンドル用取付け座板４３、複数本の取付け座板用固着具４４．４４を介して取付け、一方、機械式錠前１を扉１３の内壁面１２に内側ハンドル用取付け板４５を介して取付けた説明図である。
【００２１】
前記外側ハンドル用取付け座板４３は、内壁面の上下部に水平方向に突出する一対のメネジ杆４６．４６を有し、これらのメネジ杆４６．４６に前記固着具４４．４４がそれぞれ螺合する。
【００２２】
なお、前記取付け入力板１４の収納部１５には、起動スイッチＳ、入力部の一例としてのアンテナ４８ａを有する受信部４８が設けられている。錠箱２側の孔（嵌合孔或いは開口）も扉１１側の孔（嵌合孔或いは開口）も、普通一般に既存の孔である。
【００２３】
次に図９及び図１０は、機械式錠前１に制御箱９と入力部材１４とを後付した電気錠Ｘの電気回路を示す。
前述したように、５０は合鍵で、この合鍵５０には、リングなどを介して携帯型情報記憶媒体（ダグタイプ、カードタイプなど）５１が吊り下っている。情報記憶媒体５１は、俗に「ＩＣカード」とも称されている。
【００２４】
情報記憶媒体５１は、電気錠Ｘの受信部４８に接近すると（所定の領域内に入り込むと）、アンテナ５２で受信した大きい電波をエネルギー源に用いて受信部５３で電気を生成させ、データ制御回路５４を起動させる。そこで、データ制御回路５４は、識別コードを格納した携帯メモリー５５にアクセスして該識別コードを取得し、送信部５６に出力し続ける。なお、符号４９は交信用の送信部である。
【００２５】
本実施例の電気錠Ｘは、携帯型情報記憶媒体５１が取付け入力板１４の受信部４８に接近しただけでは、制御部５７は起動しない。制御部５７を起動させるためには、まず、起動用スイッチＳをオン（ＯＮ）にさせる必要がある。
【００２６】
そこで、情報記憶媒体５１の所持者は、起動用スイッチＳを押す。起動用スイッチＳを押すと、起動信号ａが制御部５７に送られるので、制御部５７は情報記憶媒体５１の該識別コードを読み取ることが可能な状態になる。そこで、情報記憶媒体５１の所持者は、当該情報記憶媒体５１を取付け入力板１４の受信部４８に「かざす」、或いは「あてがう」ようにする。
【００２７】
そうすると、非接触型のアンテナ４８ａを有する受信部４８は、前記送信部５６から投げられた識別信号（識別コード）ｂを受信して制御部５７へと送る。制御部５７のデータ読み取り回路６０は、情報記憶媒体５１の識別信号ｂを読み取る。データ照合判別回路６１は、メモリー６２に登録されている正規情報と当該識別信号ｂとが一致する否かを照合し、かつ、判別する。
【００２８】
データ照合判別回路６１が「当該識別信号ｂは正規のものである」と判別した時、制御部５７はタイマー回路を備えた駆動源制御回路６３の指令に基づいて駆動源６４を起動させる。駆動源６４が起動すると、減速機構、クラッチ機構などを備えた動力伝達機構６５が作動する。動力伝達機構６５が作動すると、キャップ８が回転すると共に、錠箱２内の施・解錠機構６６を介してデッドボルト３が解錠方向へと後退する。
【００２９】
【実施例】
携帯型情報記憶媒体５１は、合鍵５０と別体（吊り下げ型）であるが、合鍵５０自体に携帯型情報記憶媒体５１を埋設しても良い（一体型）。また入力部の起動用スイッチは押しボタン式の接触型であるが、人体の接近を感応する非接触型でも良い。また、入力部は、情報交信手段、リモコン等の非接触型の受信部４８であるが、接触型（例えば指で信号を入力することができるテンキー）であっても良い。したがって、声紋、眼球などを検知する公知の入力部は、受信部２８の置換事項に過ぎない。
【００３０】
【発明の効果】
以上の説明から明らかなように、本発明にあっては、次に列挙するような効果がある。
（１）扉や機械式錠前に対して、極力、孔、切欠等の加工を施さないで電気錠の制御箱を後付することができる。したがって、特に集合住宅の転居・入居時に扉に対する現状回復義務との関係で有効である。
（２）電気錠の制御箱の一端部を錠箱の外壁面に添設するので、制御箱を錠箱に簡単に後付固定することができる。また、後付した後、必要に応じて簡単に取り外しすることもできる。
（３）扉の外壁面側に固定された電気錠の入力部材のコネクタと、扉の内壁面に面付け固定された電気錠の制御箱のコネクタを、錠箱を加工するとこなく、後付制御箱に合理的に収納できる。
（４）制御箱の一端部に、錠箱２側のメネジ孔に対応する左右一対の第１及び第２取付け孔がそれぞれ形成されている実施例の場合には、制御箱を扉の左右勝手に対応して錠箱に固定することができる。
（５）機械式錠前に電気錠の他の機能（入力部材）を加味し、該錠前を電動式でも施・解錠することができる。
【図面の簡単な説明】
図１乃至図１０は本発明の一実施例を示す各説明図。
【図１】実施形態を示す主たる構成部材の概略的な分解斜視図。
【図２】面付け錠前の正面からの説明図（摘みにキャップを外嵌合）。
【図３】キャップと伝動歯車の説明図。
【図４】制御箱の動力伝達機構等の概略説明図。
【図５】制御箱の正面図。
【図６】制御箱の裏側から見た斜視図。
【図７】制御箱を錠前に固定した一例の説明図。
【図８】扉に、機械式錠前に取付け入力板と制御箱を後付した一部概略断面説明図。
【図９】後付けした場合の電気錠の電気回路を示すブロック図。
【図１０】図９に於いて、入力部材と携帯型情報記憶媒体との交信の一例を示す説明図。
【符号の説明】
１…機械式錠前、２…錠箱、２ａ…外壁面、２ｂ…左側壁、３…デッドボルト、５…サムターン摘み、６…ハンドルカム軸、７…内側ハンドル、８…キャップ、９…制御箱、１０…固着具、１１…扉、１２…扉の内壁面、１３…扉の外壁面、１４…取付け入力板、１５…収納部、１６…外側ハンドル、１７…シリンダ錠、１９．２０…メネジ孔、２１…キャップ部、２２…伝動歯車、２３…歯部、２４…嵌合凹所、２５…キャップ摘み、２８…減速歯車列、３０…キャップの開口部、３１…第１取付け孔、３２…第２取付け孔、３３…中央切欠部、３５…制御箱側のコネクタ、３７…取付け入力板のコネクタ、３８…凹所、４０…飾り側板、Ｓ…制御部用起動スイッチ、５７…制御部、５９…電源部、５０…合鍵、５１…携帯型情報記憶媒体、５６…送信部、６０…データ読み取り回路、６１…データ照合判別回路、６３…駆動源制御回路、６４…駆動源、６５…動力伝達機構。
【図１】
2005023688.tif 000003
【図２】
2005023688.tif 000004
【図３】
2005023688.tif 000005
【図４】
2005023688.tif 000006
【図５】
2005023688.tif 000007
【図６】
2005023688.tif 000008
【図７】
2005023688.tif 000009
【図８】
2005023688.tif 000010
【図９】
2005023688.tif 000011
【図１０】
2005023688.tif 000012